(57)【要約】【課題】網戸に取り付けられる網戸用ルーバーを介して屋内に取り込まれる風を穏やかにする。【解決手段】網戸用ルーバー１は、上下方向に配列された複数の羽板２を備えており、網戸１１に取り付けられる。羽板２は、屋外側から屋内側へ向けて高くなるように傾斜配置された主板部５と、主板部５の屋内側端５ａから屋内側へ向けて突設された副板部６と、を備えている。【選択図】図４
2018091070.tif 000002
【特許請求の範囲】
【請求項１】
上下方向に配列された複数の羽板を備え、網戸に取り付けられる網戸用ルーバーであって、
前記羽板は、屋外側から屋内側へ向けて高くなるように傾斜配置された主板部と、前記主板部の屋内側端から屋内側へ向けて突設された副板部と、を備える、
網戸用ルーバー。
【請求項２】
前記羽板は、前記主板部の屋内側端から屋外側へ向けて突設された突条部を備える、
請求項１に記載の網戸用ルーバー。
【請求項３】
上下方向で隣り合う前記羽板同士は、上下方向で重複して配置されるとともに、該ルーバーの下部側における前記羽板同士の重複幅は、該ルーバーの上部側における前記羽板同士の重複幅に比べて、広くなっている、
請求項１又は２に記載の網戸用ルーバー。
【請求項４】
該ルーバーの下部側に配置される前記羽板は、該ルーバーの上部側に配置される前記羽板に比べて、水平に対する前記主板部の傾斜角が大きくなっている、
請求項１から３のいずれか一項に記載の網戸用ルーバー。
【発明の詳細な説明】
【技術分野】
【０００１】
本発明は、上下方向に配列された複数の羽板を備え、網戸の枠体に取り付けられる網戸用ルーバーに関するものである。
【背景技術】
【０００２】
例えば、建物の引き違い窓の屋外側に設けられる網戸に取り付けられる網戸用ルーバーが知られている（例えば特許文献１参照）。この網戸用ルーバーでは、複数の横長帯状の羽板が上下方向に配列され、各羽板は屋外側から屋内側へ向けて高くなるように傾斜配置される。羽板が傾斜配置されることで、雨水の屋内側への浸入が抑制されつつ、羽板間の隙間を通じて空気が屋内に流入する。
【先行技術文献】
【特許文献】
【０００３】
【特許文献１】特開平１０−１８４２４６号公報
【発明の概要】
【発明が解決しようとする課題】
【０００４】
従来技術の網戸用ルーバーでは、羽板が平板状なので、屋外側から網戸用ルーバーに取り込まれた風は羽板間をまっすぐ吹き抜ける。このような網戸用ルーバーでは、網戸用ルーバーに向かって強い風が吹いたときに、網戸用ルーバー及び網戸を介して屋内に取り込まれる風が強すぎるという問題があった。
【課題を解決するための手段】
【０００５】
そこで、本発明は、上記の現状に鑑みて改善を施した網戸用ルーバーを提供しようとするものである。
【０００６】
本発明の網戸用ルーバーは、上下方向に配列された複数の羽板を備え、網戸に取り付けられるルーバーであって、前記羽板は、屋外側から屋内側へ向けて高くなるように傾斜配置された主板部と、前記主板部の屋内側端から屋内側へ向けて突設された副板部と、を備えるものである。
【０００７】
本発明の網戸用ルーバーにおいて、前記羽板は、前記主板部の屋内側端から屋外側へ向けて突設された突条部を備えるようにしてもよい。
【０００８】
また、本発明の網戸用ルーバーにおいて、上下方向で隣り合う前記羽板同士は、上下方向で重複して配置されるとともに、該ルーバーの下部側における前記羽板同士の重複幅は、該ルーバーの上部側における前記羽板同士の重複幅に比べて、広くなっているようにしてもよい。
【０００９】
また、本発明の網戸用ルーバーにおいて、該ルーバーの下部側に配置される前記羽板は、該ルーバーの上部側に配置される前記羽板に比べて、水平に対する前記主板部の傾斜角が大きくなっているようにしてもよい。
【発明の効果】
【００１０】
本発明の網戸用ルーバーは、上下方向に配列された複数の羽板が、屋外側から屋内側へ向けて高くなるように傾斜配置された主板部と、前記主板部の屋内側端から屋内側へ向けて突設された副板部を備えているので、羽板間を通過する風の流れを副板部に当てることで乱流にして遅くでき、屋内に取り込まれる風を穏やかな流れ（層流とも言える）にできる。
【００１１】
本発明の網戸用ルーバーにおいて、前記羽板は、前記主板部の屋内側端から屋外側へ向けて突設された突条部を備えるようにすれば、風の流れによって雨水が主板部の斜面を遡って主板部の屋内側端に到達しても、突条部で堰き止められるので、雨水の屋内側への浸入を防止できる。また、突条部は、羽板間を通過する風の流れをより複雑にするので、羽板間を通過する風の流れをより遅くできる。
【００１２】
また、本発明の網戸用ルーバーにおいて、該ルーバーの下部側における前記羽板同士の重複幅は、該ルーバーの上部側における前記羽板同士の重複幅に比べて、広くなっているようにすれば、該ルーバーの下部側に配置される羽板の主板部に付着する雨水量を少なくできる。これにより、例えば地面付近で風が強くなる場合など、ルーバーの上部側に比べて下部側で風が強くなる状況下であっても、雨水の屋内側への浸入が防止される。
【００１３】
また、本発明の網戸用ルーバーにおいて、該ルーバーの下部側に配置される前記羽板は、該ルーバーの上部側に配置される前記羽板に比べて、水平に対する前記主板部の傾斜角が大きくなっているようにすれば、該ルーバーの下部側に配置される羽板において主板部に付着する雨水が主板部の斜面を遡りにくくできる。これにより、ルーバーの上部側に比べて下部側で風が強くなる状況下であっても、雨水の屋内側への浸入が防止される。
【図面の簡単な説明】
【００１４】
【図１】網戸用ルーバーの一実施形態を網戸とともに概略的に示す、（Ａ）正面図、（Ｂ）左側面図、（Ｃ）平面図、（Ｄ）底面図である。
【図２】同実施形態を網戸に装着した状態を示す概略的な斜視図である。
【図３】同実施形態及び網戸を示す概略的な斜視図である。
【図４】図１でのＡ−Ａ位置での概略的な断面図である。
【図５】同実施形態に吹き込む風の流れの一例を示す模式図である。
【図６】他の実施形態を示す概略的な断面図である。
【発明を実施するための形態】
【００１５】
以下に、本発明を具体化した実施形態を図面に基づき説明する。図１から図４に示すように、網戸用ルーバー１は、上下方向に配列された複数の羽板２を備え、網戸１１の枠体１２に取り付けられる。この実施形態の網戸用ルーバー１は、光透過性を有する材料、例えばポリカーボネートで形成される。
【００１６】
網戸用ルーバー１において、複数の羽板２は、矩形枠状のフランジ部３に立設された左右一対の側面部４，４で支持されている。フランジ部３は、網戸１１の矩形枠状の枠体１２に沿って設けられるとともに、両面テープ等の接着層１４を介して枠体１２に接合される。
【００１７】
この実施形態では、５つの羽板２が上下方向に間隔をもって配列されている。各羽板２の両端部は左右一対の側面部４，４に接合されている。側面部４，４の先端部は鋸歯状に形成され、その鋸歯状の傾斜部分に沿って羽板２の主板部５が配置されている。また、５つの羽板２の配列の下方に、左右横長の底羽板８が配置されている。底羽板８は、側面部４，４で支持されるとともに、屋外側から屋内側へ向けて低くなるように傾斜配置されている。
【００１８】
各羽板２は、屋外側から屋内側へ向けて高くなるように傾斜配置された主板部５と、主板部５の屋内側端５ａから屋内側へ向けて突設された副板部６と、主板部５の屋内側端５ａから屋外側へ向けて突設された突条部７を備えている。各羽板２における主板部５の水平面Ｈｐに対する傾斜角θ１，θ２，θ３，θ４，θ５は同じである。
【００１９】
羽板２の配列のうち１段目（１番上）に位置する羽板２の副板部６は、水平方向に延設されるとともに、主板部５とは反対側の端部がフランジ部３に連結されて、網戸用ルーバー１内への上方からの雨水の浸入を防止する蓋部材を兼ねている。残りの４つの羽板２の副板部６は、斜め下方へ延設されるとともに、主板部５とは反対側の端部が側方視でフランジ部３と重複しない位置に配置されて、網戸１１の枠体１２に張設された網１３とは間隔をもって配置されている。
【００２０】
上下方向で隣り合う羽板２，２同士は、上下方向で重複して配置される。網戸用ルーバー１の下部側における羽板２，２同士の重複幅は、網戸用ルーバー１の上部側における羽板２，２同士の重複幅に比べて、広くなっている。この実施形態では、当該重複幅は、下方側ほど広くなるように設定されている。図４に示すように、上から１段目と２段目の羽板２，２の重複幅Ｗｏ１と、上から２段目と３段目の羽板２，２の重複幅Ｗｏ２と、上から３段目と４段目の羽板２，２の重複幅Ｗｏ３と、上から４段目と５段目（１番下）の羽板２，２の重複幅Ｗｏ４は、Ｗｏ１＜Ｗｏ２＜Ｗｏ３＜Ｗｏ４の関係を有する。
【００２１】
また、網戸用ルーバー１の下部側における羽板２，２同士の間隔幅は、網戸用ルーバー１の上部側における羽板２，２同士の間隔幅に比べて、狭くなっている。この実施形態では、当該間隔幅は、下方側ほど狭くなるように設定されている。図４に示すように、１段目と２段目の羽板２，２の間隔幅Ｗｃ１と、２段目と３段目の羽板２，２の間隔幅Ｗｃ２と、３段目と４段目の羽板２，２の間隔幅Ｗｃ３と、４段目と５段目の羽板２，２の間隔幅Ｗｃ４は、Ｗｃ１＞Ｗｃ２＞Ｗｃ３＞Ｗｃ４の関係を有する。また、５段目の羽板２と底羽板８の間隔幅Ｗｃ５は、間隔幅Ｗｃ４よりも狭い。
【００２２】
この実施形態の網戸用ルーバー１は、上下方向に配列された複数の羽板２が、屋外側から屋内側へ向けて高くなるように傾斜配置された主板部５と、主板部５の屋内側端５ａから屋内側へ向けて突設された副板部６を備えている。図５に示すように、屋外側から網戸用ルーバー１に吹き込む風（実線矢印参照）は、上下の主板部５，５間を通過して、副板部６に当たって乱流になる。これにより、網戸用ルーバー１は、羽板２，２間を流通する風の流れを遅くでき、網戸１１の網１３を介して屋内に取り込まれる風を穏やかな流れ（層流とも言える）にできる。また、網戸用ルーバー１は、羽板２，２間を通過する風の流れを遅くできるので、雨水２１が羽板２の斜面を遡るのを抑制して、雨水２１の屋内側への浸入を防止できる。
【００２３】
また、網戸用ルーバー１において、羽板２は、主板部５の屋内側端５ａから屋外側へ向けて突設された突条部７を備えるので、風の流れによって雨水２１が主板部５の斜面を遡って主板部５の屋内側端５ａに到達しても、突条部７で堰き止められるので、雨水２１の屋内側への浸入を防止できる。また、突条部７は、羽板２，２間を通過する風の流れをより複雑にするので、羽板２，２間を通過する風の流れをより遅くできる。
【００２４】
また、網戸用ルーバー１において、網戸用ルーバー１の下部側における羽板２，２同士の重複幅は、網戸用ルーバー１の上部側における羽板２，２同士の重複幅に比べて、広くなっている。したがって、網戸用ルーバー１の下部側に配置される羽板２の主板部５に付着する雨水量を少なくできる。これにより、例えば地面付近で風が強くなる場合など、網戸用ルーバー１の上部側に比べて下部側で風が強くなる状況下であっても、雨水２１の屋内側への浸入が防止される。
【００２５】
また、網戸用ルーバー１において、網戸用ルーバー１の下部側における羽板２，２同士の間隔幅は、網戸用ルーバー１の上部側における羽板２，２同士の間隔幅に比べて、狭くなっている。したがって、網戸用ルーバー１の下部側において、網戸用ルーバー１内へ流入する風の量を上部側に比べて少なくして、羽板２，２間を通過する風の流れを遅くできる。これにより、網戸用ルーバー１の上部側に比べて下部側で風が強くなる状況下であっても、網戸１１の網１３を介して屋内に取り込まれる風を穏やかな流れにできるとともに、雨水２１の屋内側への浸入を防止できる。
【００２６】
次に、図６を参照しながら他の実施形態について説明する。この実施形態の網戸用ルーバー１において、網戸用ルーバー１の下部側に配置される羽板２は、網戸用ルーバー１の上部側に配置される羽板２に比べて、水平面Ｈｐに対する主板部５の傾斜角が大きくなっている。この実施形態では、１段目と２段目の羽板２の主板部５の傾斜角θ１，θ２は同じである。また、３段目、４段目、５段目の羽板２の主板部５の傾斜角θ３，θ４，θ５は同じである。そして、傾斜角θ３，θ４，θ５は傾斜角θ１，θ２よりも大きい。
【００２７】
また、網戸用ルーバー１の下部側における羽板２，２同士の重複幅は、網戸用ルーバー１の上部側における羽板２，２同士の重複幅に比べて、広くなっている。この実施形態では、１段目と２段目の羽板２，２の重複幅Ｗｏ１と、２段目と３段目の羽板２，２の重複幅Ｗｏ２と、３段目と４段目の羽板２，２の重複幅Ｗｏ３と、４段目と５段目の羽板２，２の重複幅Ｗｏ４は、Ｗｏ１＝Ｗｏ２＜Ｗｏ３＝Ｗｏ４の関係を有する。
【００２８】
また、網戸用ルーバー１の下部側における羽板２，２同士の間隔幅は、網戸用ルーバー１の上部側における羽板２，２同士の間隔幅に比べて、狭くなっている。この実施形態では、１段目と２段目の羽板２，２の間隔幅Ｗｃ１と、２段目と３段目の羽板２，２の間隔幅Ｗｃ２と、３段目と４段目の羽板２，２の間隔幅Ｗｃ３と、４段目と５段目の羽板２，２の間隔幅Ｗｃ４は、Ｗｃ１＝Ｗｃ２＞Ｗｃ３＝Ｗｃ４の関係を有する。また、５段目の羽板２と底羽板８の間隔幅Ｗｃ５は、間隔幅Ｗｃ３，Ｗｃ４と同じである。
【００２９】
この実施形態の網戸用ルーバー１において、網戸用ルーバー１の下部側に配置される羽板２は、網戸用ルーバー１の上部側に配置される羽板２に比べて、水平面Ｈｐに対する主板部の傾斜角が大きくなっているので、網戸用ルーバー１の下部側に配置される羽板２において主板部５に付着する雨水が主板部の斜面を遡りにくくできる。これにより、網戸用ルーバー１の上部側に比べて下部側で風が強くなる状況下であっても、雨水の屋内側への浸入が防止される。
【００３０】
また、網戸用ルーバー１において、網戸用ルーバー１の下部側における羽板２，２同士の重複幅は、網戸用ルーバー１の上部側における羽板２，２同士の重複幅に比べて、広くなっている。したがって、図１から５を参照して説明した実施形態と同様に、網戸用ルーバー１の下部側に配置される羽板２の主板部５に付着する雨水量を少なくして、網戸用ルーバー１の上部側に比べて下部側で風が強くなる状況下であっても、雨水２１の屋内側への浸入が防止される。
【００３１】
また、網戸用ルーバー１において、網戸用ルーバー１の下部側における羽板２，２同士の間隔幅は、網戸用ルーバー１の上部側における羽板２，２同士の間隔幅に比べて、狭くなっている。したがって、図１から５を参照して説明した実施形態と同様に、網戸用ルーバー１の下部側において、網戸用ルーバー１内へ流入する風の量を上部側に比べて少なくして、羽板２，２間を通過する風の流れを遅くでき、網戸用ルーバー１の上部側に比べて下部側で風が強くなる状況下であっても、屋内に取り込まれる風を穏やかな流れにできるとともに、雨水２１の屋内側への浸入を防止できる。
【００３２】
本発明は、上記実施形態に限定されず、本発明の要旨を逸脱しない範囲で下記のような種々の変形が可能である。
【００３３】
例えば、本発明の網戸用ルーバーは、網戸１１の枠体１２に接着層１４を介して接合される構成に限定されず、例えばビス止め等、他の固定方法により網戸の枠体に固定される構成であってもよい。また、本発明の網戸用ルーバーにおいて、羽板の数は、５つに限定されず、２つ以上であればよい。
【００３４】
また、本発明の網戸用ルーバーの材料は、特に限定されず、ポリカーボネート以外のプラスチック又は金属であってもよい。また、当該材料は、透明なものであってもよいし、半透明なものであってもよいし、金属等の不透明な材料であってもよい。
【符号の説明】
【００３５】
１  網戸用ルーバー
２  羽板
５  主板部
５ａ  主板部の屋内側端
６  副板部
７  突条部
１１  網戸
【図１】
2018091070.tif 000003
【図２】
2018091070.tif 000004
【図３】
2018091070.tif 000005
【図４】
2018091070.tif 000006
【図５】
2018091070.tif 000007
【図６】
2018091070.tif 000008